(57)【要約】【課題】  装置構成が複雑でなく携帯電話機等の小型の携帯端末への適用も容易で、豊かな良い音の表現が可能な楽音生成装置を提供する。【解決手段】  異なる音源方式による複数の音源部であって、一音に係る楽音情報が同時に各々に供給されると該楽音情報に応じて楽音信号を生成して出力する複数の音源部（３４，３５）と、各音源部より出力されるそれぞれの楽音信号を混合して出力する混合部（３８）と、楽音情報が供給されると、該楽音情報に含まれる音色種類情報に応じた音色データを、各音源部に供給するための音色データ記憶部（３６，３７）とを備え、前記音色データに、各音源部の音量バランスを規定する情報を付加する。【選択図】        図２
2005229511.tif 000002
【特許請求の範囲】
【請求項１】
異なる音源方式による複数の音源部であって、一音に係る楽音情報が同時に各々に供給されると該楽音情報に応じて楽音信号を生成して出力する複数の音源部と、
前記各音源部より出力されるそれぞれの楽音信号を混合して出力する混合部と、
楽音情報が供給されると、該楽音情報に含まれる音色種類情報に応じた音色データを、前記各音源部に供給するための音色データ記憶部と、を備え、
前記音色データには、前記各音源部の音量バランスを規定する情報が付加されている
ことを特徴とする楽音生成装置。
【請求項２】
前記複数の音源とは、ＦＭ音源と波形メモリ（Ｗａｖｅ Ｔａｂｌｅ）音源である
ことを特徴とする請求項１に記載の楽音生成装置。
【請求項３】
携帯電話機、携帯情報端末等の携帯端末において、
異なる音源方式による複数の音源部であって、一音に係る楽音情報が同時に各々に供給されると該楽音情報に応じて楽音信号を生成して出力する複数の音源部と、
前記各音源部より出力されるそれぞれの楽音信号を混合して出力する混合部と、
楽音情報が供給されると、該楽音情報に含まれる音色種類情報に応じた音色データを、前記各音源部に供給するための音色データ記憶部と、を備え、
前記音色データには、前記各音源部の音量バランスを規定する情報が付加されている
ことを特徴とする携帯端末。
【発明の詳細な説明】
【技術分野】
【０００１】
本発明は、異なる音源方式を利用する楽音生成装置に関する。
【背景技術】
【０００２】
通常、異なる音源方式を利用する複数の音源からなるハイブリッド音源（例えば、ＦＭ音源とＷＴ音源からなるとする）の楽音生成装置は、このハイブリッド音源に含まれるシーケンサから出力されるある１音の楽音情報（音色、音高、音長などを規定する情報）を、ＦＭ音源もしくはＷＴ音源のどちらかに供給し、これらのどちらかが楽音信号を生成するものとなっている。このように、一般のハイブリッド音源では、それに内蔵されるいずれかの音源に楽音信号を生成させている。
【０００３】
他の技術として、特許文献１には、１音についてＦＭ音源とＷＴ音源の両音源を使うことで新たな楽音を生成する技術が開示されている。しかし、これは立ち上がり部と立ち上がり部以降をそれぞれの音源で受け持つというものであり、同時に、生成した楽音信号を合成させるものではない。
【特許文献１】特公平３−４０３９８号公報
【発明の開示】
【発明が解決しようとする課題】
【０００４】
上記のように、従来のハイブリッド音源では、１音に対し、いずれか１つの音源を機能させるのみであったので、音の表現は、いずれかの音源により生成できるものに制約されることとなる。一方、特許文献１に開示された技術では、１音について複数の音源を使用するが、同時に、生成した楽音信号を合成させるものではなく、これも、音の表現について、この構成による制約を受けることとなる。また、これは電子楽器向けであって音源システムが複雑であり、そのシステムのための楽音情報の作成にも音作りにも手間がかかるものであったため、携帯電話機等の着信メロディ再生においては不向きであった。
【０００５】
本発明は、上記の点に鑑みてなされたもので、装置構成が複雑でなく携帯電話機等の小型の携帯端末への適用も容易で、豊かな良い音の表現が可能な楽音生成装置を提供するものである。
【課題を解決するための手段】
【０００６】
上記課題を解決するため、請求項１に記載の発明の楽音生成装置は、異なる音源方式による複数の音源部であって、一音に係る楽音情報が同時に各々に供給されると該楽音情報に応じて楽音信号を生成して出力する複数の音源部と、前記各音源部より出力されるそれぞれの楽音信号を混合して出力する混合部と、楽音情報が供給されると、該楽音情報に含まれる音色種類情報に応じた音色データを、前記各音源部に供給するための音色データ記憶部と、を備え、前記音色データには、前記各音源部の音量バランスを規定する情報が付加されていることを特徴としている。
【０００７】
また、請求項２に記載の発明は、請求項１に記載の楽音生成装置において、前記複数の音源とは、ＦＭ音源と波形メモリ（Ｗａｖｅ Ｔａｂｌｅ）音源であることを特徴としている。
【０００８】
また、請求項３に記載の発明は、携帯電話機、携帯情報端末等の携帯端末において、異なる音源方式による複数の音源部であって、一音に係る楽音情報が同時に各々に供給されると該楽音情報に応じて楽音信号を生成して出力する複数の音源部と、前記各音源部より出力されるそれぞれの楽音信号を混合して出力する混合部と、楽音情報が供給されると、該楽音情報に含まれる音色種類情報に応じた音色データを、前記各音源部に供給するための音色データ記憶部と、を備え、前記音色データには、前記各音源部の音量バランスを規定する情報が付加されていることを特徴としている。
【発明の効果】
【０００９】
本発明によれば、異なる音源方式による複数の音源部に、一音に係る楽音情報が同時に供給され、生成されたそれぞれの楽音信号が、音量バランスを規定する情報に従って混合され出力される。上記構成により、本発明は、その装置構成が複雑でなく携帯電話機等の小型の携帯端末への適用も容易であり、かつ、豊かな良い音の表現が可能となる。
【発明を実施するための最良の形態】
【００１０】
以下、本発明の実施の形態を、図面を参照して説明する。
図１は、本発明を携帯電話機に適用した場合のその概略構成を示すブロック図である。
なお、本発明は、携帯電話機に限らず、ＰＨＳ（登録商標）（Ｐｅｒｓｏｎａｌ  ｈａｎｄｙｐｈｏｎｅ  ｓｙｓｔｅｍ）等の携帯通信端末や、携帯情報端末（ＰＤＡ：Ｐｅｒｓｏｎａｌ  Ｄｉｇｉｔａｌ  Ａｓｓｉｓｔａｎｔ）等にも適用できるものである。
【００１１】
図１において、符号１１は、ＣＰＵ（中央処理装置）であり、各種プログラムを実行することにより携帯電話機１の各部の動作を制御する。このＣＰＵ１１は、下記のＲＡＭ１９あるいはＲＯＭ２０に格納された着信メロディ等の楽曲を再生するための楽曲データ（楽曲シーケンスデータや発音命令等からなる楽音情報であり、具体的には、例えば、ＭＩＤＩデータ（ＳＭＦ（Ｓｔａｎｄａｒｄ ＭＩＤＩ Ｆｉｌｅ）、あるいは、ＭＩＤＩデータに準ずるデータ等が挙げられる）を読み出し、下記の音源１６へ送出して楽曲を再生させる。
符号１２は、通信部であり、この通信部１２に備わるアンテナ１２ａで受信された信号の復調を行うとともに、送信する信号を変調してアンテナ１２ａに供給している。
【００１２】
符号１３は、音声処理部である。通信部１２で復調された電話回線の音声信号は、この音声処理部１３において復号され、スピーカ１４から出力される。一方、マイク１５から入力された音声信号はデジタル化され音声処理部１３において圧縮符号化される。そして、通信部１２にて変調されアンテナ１２ａから携帯電話網の基地局へ出力される。音声処理部１３は、例えばＣＥＬＰ（Ｃｏｄｅ  Ｅｘｃｉｔｅｄ  ＬＰＣ）系やＡＤＰＣＭ（適応差分ＰＣＭ符号化）方式により、音声データを高能率圧縮符号化／復号化している。
【００１３】
符号１６は、音源であり、異なる音源方式による複数の音源を含むハイブリッド音源である。本実施の形態では、ＦＭ音源とＷＴ音源を含んで構成されるものとする（詳細は、後述する）。この音源１６は、一音に係る楽曲データ（楽音情報）を、内蔵するＦＭ音源とＷＴ音源のそれぞれに同時に供給し、ＦＭ音源とＷＴ音源のそれぞれがこの楽音情報に応じて楽音信号を生成して出力する。なお、楽曲データは、ＦＭ音源用とＷＴ音源用のデータがそれぞれ必要に応じて用意される。
符号１７は、音源１６が生成する楽音信号に従い発音する（背面）スピーカである。
【００１４】
符号１８は、操作キー部であり、携帯電話機１の本体に設けられた英数字のボタンを含む各種ボタン（図示せず）やその他の入力デバイスからの入力を検知する入力手段である。
符号１９は、ＲＡＭ（Ｒａｎｄｏｍ  Ａｃｃｅｓｓ  Ｍｅｍｏｒｙ）であり、ＣＰＵ１１のワークエリアや、ダウンロードされた楽曲データや伴奏データ（これらは着信メロディの再生等に用いる）の格納エリアや、受信した電子メールのデータが格納されるメールデータ格納エリア等がさらに設定される。
【００１５】
符号２０は、ＲＯＭ（Ｒｅａｄ  Ｏｎｌｙ  Ｍｅｍｏｒｙ）である。このＲＯＭ２０は、ＣＰＵ１１が実行する、発信・着信等の制御をする各種電話機能プログラムや楽曲再生処理を補助するプログラムや、電子メールの送受信を制御するメール送受信機能プログラム等のプログラムの他、楽曲データ等の各種データが格納されている。
【００１６】
符号２１は、表示部である。これは、ＬＣＤ（Ｌｉｑｕｉｄ  Ｃｒｙｓｔａｌ  Ｄｉｓｐｌａｙ）等からなり、ＣＰＵ１１の制御により、テキストや画像の表示や、操作部１８の操作に応じた表示をする表示器である。
なお、各機能ブロックはバス１００を介してデータや命令の授受を行っている。
【００１７】
ここで、音源１６の詳細について、図２に示すブロック図を参照し説明する。
なお、同図において、図１と共通する部分には同一の符号を附している。
【００１８】
同図において、符号３１のＩ／Ｆ（インターフェース）は、バス１００を介して、ＣＰＵ１１から楽曲データを受けるとともに、下記のＦＩＦＯ３２の状態通知をＣＰＵ１１に出力するためのインターフェース回路である。
ＦＩＦＯ３２は、ＦＩＦＯ（Ｆｉｒｓｔ Ｉｎ Ｆｉｒｓｔ Ｏｕｔ ｍｅｍｏｒｙ）メモリを含む回路であり、Ｉ／Ｆ３１から与えられた楽曲シーケンスデータの一部を一時保持し、楽曲の進行に応じて順次符号３３に示すシーケンサに与える。また、ＦＩＦＯ３２は、メモリの空き状況をＣＰＵ１１に通知し、メモリがＥｍｐｔｙ（空）になる前に続きの楽曲シーケンスデータの転送を受ける。
【００１９】
シーケンサ３３は、ＣＰＵ１１からの発音開始／発音終了等の命令を受け、発音を開始する場合には、ＦＩＦＯ３２から受けた楽曲シーケンスデータを解釈するとともにタイミングを計って各音源を駆動する制御信号を、ＦＭ音源３４及びＷＴ音源３５に同時に与える。この実施形態のように、本発明は、１つの発音命令に対し、複数の音源を同時に発音させる（ただし、いずれかの音源の音量が０の場合もある）ことを特徴としている。
【００２０】
ＦＭ音源３４は、周知のように、ＦＭ演算のアルゴリズムを決定するパラメータを受け、このパラメータに基づき基準となる波形に周波数変調を施すことにより楽音信号を生成する。このパラメータの内、音色を規定するパラメータ（音色パラメータ、音色データ）は、予めＦＭ音色メモリ３６に蓄積されており、ＣＰＵ１１から音源１６に供給される楽曲データに含まれる音色種類情報（楽曲データに含まれるパラメータの内、音色種類情報に該当するパラメータ）に応じて、これに対応するパラメータ（音色パラメータ、後述の出力音量レベル）がＦＭ音色メモリ３６からＦＭ音源３４へ供給される。ここでは、ＦＭ音源３４は複数の発音チャンネルを有しており、同時に複数の異なる音を発音できる構成となっている。従って、楽曲データに含まれる音色種類情報も使用する発音チャンネル毎に存在し、その音色種類情報に対応するパラメータはＦＭ音源３４の該当する発音チャンネルに供給される。
【００２１】
ＷＴ音源３５は、周知のように各種楽器音や音声等をデジタル録音して予め蓄えている波形テーブル（波形メモリ）の波形データを一通りまたは繰り返して読み出すことにより元の楽器音や音声等を忠実に再現するものである。ＷＴ音色メモリ３７には、別にある波形テーブル（図示せず）の波形を指示するパラメータ、あるいは、波形そのものを示すデータ（波形データ）を記憶させ利用することができるが、ここでは、別にある波形テーブルの波形を指示するパラメータを用いるものとする。このパラメータ（後述の出力音量データを含む）は、予めＷＴ音色メモリ３７に保持されており、ＣＰＵ１１から音源１６に供給される楽曲データに含まれる音色種類情報に応じて、これに対応するパラメータがＷＴ音色メモリ３７からＷＴ音源３４へ供給される。また、ＷＴ音源３５も複数の発音チャンネルを有しており、ＦＭ音源３４と同様に、音色種類情報に対応するパラメータはＷＴ音源３５の該当する発音チャンネルに供給される。
【００２２】
上記ＦＭ音源３４およびＷＴ音源３５の出力（楽音信号）は混合器３８にて混合（加算）され、その出力はデジタル／アナログ変換器（ＤＡＣ）３９においてアナログデータに変換され、背面スピーカ１７に供給される。
また、通常、音源１６では、内蔵される各音源（３４，３５）は、ＦＩＦＯ３２及びシーケンサ３３を介した制御信号により駆動されるが、リアルタイム性（即時応答性）を要求される効果音の類は、ＣＰＵ１１が、ＦＩＦＯ３２およびシーケンサ３３を介さずに、直接にＦＭ音源３４及びＷＴ音源３５を駆動するようにしてもよい。
また、ＦＭ音色メモリ３６及びＷＴ音色メモリ３７は、ＲＯＭを含んで構成される。
【００２３】
ここで、ＦＭ音色メモリ３６及びＷＴ音色メモリ３７に格納される内容について、図３を参照し説明する。図３は、各音色メモリに格納される内容の一例を示すものである。
同図に示すように、各音色メモリには、番号（＃）と、名前（Ｎａｍｅ）、パラメータの項目からなるデータが格納される。番号は前述の音色種類情報に相当し、番号によって音色が指定される。名前は、音色の種別を表す（例えば、グランドピアノの音色であれば、“ＧｒａｎｄＰｎｏ”など所定の文字列で表される）。また、パラメータは、前述の通りであるが、本実施の形態では、各パラメータに、同図にて△で例示するパラメータ（出力音量データ）がさらに付加されている。
【００２４】
この出力音量データ（△）は、各音源（３４，３５）に対する音量バランスを指示するものであり、例えばそれぞれの音源の出力レベルを規定する。ここでは、このように、このパラメータを対応する音源の出力レベルを規定するものとするが、ＦＭ音源のみ使用／ＷＴ音源のみ使用／混合して使用といった区別を示すものとしてもよい。
ある音源だけ鳴ればよい音色の場合、他の音源に対する出力音量データは、当該音源に発音させないパラメータ（例えば“０”）が設定される。一方、複数の音源に、同時に楽音信号を生成させる場合は、同時発音して合成された音として望ましい音色になるように設定された出力音量データが、それぞれの音源に供給される。
【００２５】
また、例えば、ベルの音色を発音させる場合、ＦＭ音源３４のみで発音するのが好ましく、この場合、ＷＴ音源３５に与えられる出力音量データは、当該音源を発音させないパラメータが設定される。一方、スネアドラムの音色を発音させる場合では、ＷＴ音源３５のみで発音するのが好ましく、この場合は逆に、ＦＭ音源３４に与える出力音量データに、当該音源を発音させないパラメータが設定される。また、ピアノの音色を発音させる場合では、ＦＭ音源３４とＷＴ音源３５の両方を発音させるのが好ましく、例えば、ＦＭ音源３４とＷＴ音源３５の出力レベルの比が１：１となるように、出力音量データが設定され供給される。
【００２６】
このように、必要とする音色の特徴をもとに、例えば、ＦＭ音源３４だけで充分に必要な音色を実現できＷＴ音源３４を必要としないと判断できれば、ＷＴ音源３５の音量は０でよく、また、その逆もあり、互いの音源の長所・短所を補うべき音色であれば、それぞれの音量バランスや、その他のパラメータも必要に応じて調整して、所望の音色を作ることができる。
なお、発音させる音源（１つまたは複数）については、その音源用のパラメータ（楽音情報）がすべてそろっている必要がある。
【００２７】
次に、このように構成された本実施の形態の携帯電話機１の動作について、図４を参照し説明する。
図４は、楽音生成にかかる動作を説明するフローチャートである。なお、携帯電話機としての一般的な動作については、その説明を省略する。
【００２８】
ＣＰＵ１１が、ＲＡＭ１９またはＲＯＭ２０から読み出したある楽曲データ（例えば、ＭＩＤＩデータ等）がＩ／Ｆ３１に供給されると、ＦＩＦＯ３２を通してシーケンサ３３にこのデータが順次供給される（ステップＳ１０１）。
一方、Ｉ／Ｆ３１に供給される楽曲データのうち音色種類情報に該当するパラメータ（音色の番号）だけが使用する発音チャンネル毎にＩ／Ｆ３１から各音色メモリ（３６，３７）に供給される（ステップＳ１０２）。
【００２９】
そして、ＦＭ音色メモリ３６はＦＭ音源３４に、ＷＴ音色メモリ３７はＷＴ音源３５に、供給された音色種類情報（音色の番号）に該当するパラメータに対応する音色パラメータを各音源（３４，３５）の該当する発音チャンネルに設定する。このときＦＭ音源３４とＷＴ音源３５のそれぞれには、該当する発音チャンネルに上記音色パラメータに対応する出力音量データも設定される（ステップＳ１０３）。例えば、楽曲データ中に、発音チャンネル１に音色番号２が、発音チャンネル２に音色番号５が音色種類情報として記述されている場合、ＦＭ音源３４の発音チャンネル１にＦＭ音色メモリ３６の音色番号２のパラメータが設定され、発音チャンネル２にＦＭ音色メモリ３６の音色番号５のパラメータが設定される。ＷＴ音源３５にも同様に、ＷＴ音色メモリ３５から該当する発音チャンネルにパラメータが設定される。
一方、シーケンサ３３は、楽曲データ中の時間情報に従って発音パラメータ（音高、音長等）を各音源の該当する発音チャンネルに設定する（ステップＳ１０４）。
【００３０】
そして、各音源（３４，３５）はそれぞれ、ステップＳ１０３にて設定された音色及び出力音量データと、ステップＳ１０４にて設定された音高、音長等の楽音情報に従い楽音信号を生成する（ステップＳ１０５）。
最後に、両音源（３４，３５）にて生成された楽音信号を、混合器３８で合成してＤＡＣ３９に供給する（ステップＳ１０６）。
以上のようにして、ＦＭ音源３４とＷＴ音源３５の両方から同時に楽音信号が生成され、合成された楽音信号が出力されることとなる。
【００３１】
次に、本実施の形態における音源１６の他の実施例（音源１６’）を、図５、６を参照し説明する。
図５に示すように、本実施例の音源１６’の構成と、図２に示される前述した音源１６の構成との違いは、（１）前述した音源１６では、音色種類情報が、Ｉ／Ｆ３１から各音色メモリ（ＦＭ音色メモリ３６，ＷＴ音色メモリ３７）へ供給されたのに対し、本実施例の音源１６’では、音色種類情報が、Ｉ／Ｆ３１からＦＩＦＯ３２を介してシーケンサ３３に供給されて、各音源（ＦＭ音源３４，ＷＴ音源３５）に供給される点と、（２）前述の音源１６では、各音色メモリ（３６，３７）が、Ｉ／Ｆ３１から受けた音色種類情報に対応する音色パラメータを各音源（３４，３５）に供給しているのに対し、本実施例の音源１６’では、各音源（３４，３５）が、シーケンサ３３から受ける音色種類情報に従って、各音色メモリ（３６，３７）へ当該音色種類情報（音色の番号）に対応する音色パラメータを要求しそれを取得する点である。その他の構成は、前述した音源１６の構成と同様であり、その説明は省略する。
【００３２】
次に、このように構成された本実施例の音源１６’を実装した携帯電話機（すなわち、図１に示す携帯電話機１の音源１６を音源１６’に置き換えた携帯電話機）の動作について、図６を参照し説明する。
同図は、その楽音生成にかかる動作を説明するフローチャートである。
【００３３】
ＣＰＵ１１が、ＲＡＭ１９またはＲＯＭ２０から読み出したある楽曲データがＩ／Ｆ３１に供給されると、ＦＩＦＯ３２を通してシーケンサ３３にこのデータが順次供給される（ステップＳ２０１）。本実施例では、このデータに、使用する発音チャンネル毎の、音色種類情報に該当するパラメータ（音色の番号）が含まれている。
シーケンサ３３は、楽曲データ中の時間情報に従って音色種類情報（音色の番号）と発音パラメータ（音高、音長等）を各音源（３４，３５）の該当する発音チャンネルに設定する（ステップＳ２０２）。
【００３４】
各音源（３４，３５）は、それぞれの発音チャンネルに設定された音色種類情報（音色の番号）に従って、該当する音色メモリ（３６，３７）へ当該音色種類情報に対応する音色パラメータを取得するための要求を行い、要求した音色パラメータを取得する。そして、各音源（３４，３５）の該当する発音チャンネルに、取得した音色パラメータを設定する。このときＦＭ音源３４とＷＴ音源３５のそれぞれには、該当する発音チャンネルに上記音色パラメータに対応する出力音量データも設定される（ステップＳ２０３）。例えば、楽曲データ中に、発音チャンネル１に音色番号２が、発音チャンネル２に音色番号５が音色種類情報として記述されている場合、前述と同様に、ＦＭ音源３４の発音チャンネル１にＦＭ音色メモリ３６の音色番号２のパラメータが設定され、発音チャンネル２にＦＭ音色メモリ３６の音色番号５のパラメータが設定される。ＷＴ音源３５にも同様に、ＷＴ音色メモリ３５から該当する発音チャンネルにパラメータが設定される。
【００３５】
次いで、各音源（３４，３５）は、それぞれの発音チャンネルに設定された発音パラメータと音色パラメータに従って楽音信号を生成する（ステップＳ２０４）。
最後に、両音源（３４，３５）にて生成された楽音信号を、混合器３８で合成してＤＡＣ３９に供給する（ステップＳ１０６）。
以上のようにして、ＦＭ音源３４とＷＴ音源３５の両方から同時に楽音信号が生成され、合成された楽音信号が出力されることとなる。
【００３６】
なお、上記で説明した各動作フローはそれぞれにおける一例であり、上記の処理の流れに限定されるものではない。
以上、この発明の実施形態を、図面を参照して詳述してきたが、具体的な構成はこの実施形態に限られるものではなく、この発明の要旨を逸脱しない範囲の構成等も含まれる。
また、上記実施の形態においては、ＦＭ音源とＷＴ音源の２種の音源を用いるものとして説明したが、もちろん、使用する音源は３種類以上であってもよい。
【図面の簡単な説明】
【００３７】
【図１】本発明の一実施の形態である携帯電話機の概略構成を示すブロック図である。
【図２】同実施の形態における音源の概略構成を示すブロック図である。
【図３】同実施の形態における各音色メモリに格納される内容の一例である。
【図４】同実施の形態における楽音生成にかかる動作を説明するフローチャートである。
【図５】他の実施例の音源の概略構成を示すブロック図である。
【図６】他の実施例の音源を使用した形態における楽音生成にかかる動作を説明するフローチャートである。
【符号の説明】
【００３８】
１…携帯電話機（携帯端末）、１１…ＣＰＵ、１２…通信部、１２ａ…アンテナ、１３…音声処理部、１４，１７…スピーカ、１５…マイク、１６，１６’…音源（楽音生成装置）、１８…操作キー部、１９…ＲＡＭ、２０…ＲＯＭ、２１…表示部、１００…バス、３１…Ｉ／Ｆ、３２…ＦＩＦＯ、３３…シーケンサ、３４…ＦＭ音源（音源部）、３５…ＷＴ音源（音源部）、３６…ＦＭ音色メモリ（音色データ記憶部）、３７…ＷＴ音色メモリ（音色データ記憶部）、３８…混合器（混合部）、３９…ＤＡＣ
【図１】
2005229511.tif 000003
【図２】
2005229511.tif 000004
【図３】
2005229511.tif 000005
【図４】
2005229511.tif 000006
【図５】
2005229511.tif 000007
【図６】
2005229511.tif 000008